(57)【要約】【課題】複数の浮遊体による演出効果を高める。【解決手段】空気によって浮遊される複数の浮遊体１１と、複数の浮遊体１１が収容される空間１３を構成する空間構成部材１２と、空間構成部材１２の側面１２ｂに吸着させた複数の浮遊体１１によって図柄を形作るための開口部を有する図柄形成部材１４と、空間１３内に空気を送って空間１３内で浮遊体１１を舞い上げらせる第１の送風機１６と、空間１３内から空気を図柄形成部材１４の開口部を通して吸引する第２の送風機１７と、を有する図柄表示装置７を備える。【選択図】図２
2010075624.tif 000002
【特許請求の範囲】
【請求項１】
遊技球を転動させる遊技領域に中央役物が設けられた遊技機において、
空気によって浮遊される複数の浮遊体と、
前記複数の浮遊体が収容される空間を構成する空間構成部材と、
前記空間構成部材の内壁に吸着させた前記複数の浮遊体によって図柄を形作るための開口部を有する図柄形成部材と、
前記空間内に空気を送って前記空間内で前記浮遊体を舞い上げらせる第１の送風機と、
前記空間内から空気を前記図柄形成部材の前記開口部を通して吸引する第２の送風機と、を有する図柄表示装置を備えることを特徴とする遊技機。
【請求項２】
前記空間構成部材には、底面及び側面に複数の通気孔が設けられ、
前記第１の送風機が前記底面に配置され、前記第２の送風機が前記側面に配置されている、請求項１に記載の遊技機。
【請求項３】
前記図柄形成部材には、複数の前記開口部が設けられ、各前記開口部に対応して一対の前記第１及び第２の送風機がそれぞれ設けられている、請求項１又は２に記載の遊技機。
【請求項４】
前記図柄表示装置は、前記遊技領域に配置されている、請求項１ないし３のいずれか１項に記載の遊技機。
【請求項５】
前記中央役物は、遊技状態に応じて演出画像を表示する演出画像表示装置であり、
前記図柄表示装置は、前記演出画像表示装置に連動して作動される、請求項１ないし４のいずれか１項に記載の遊技機。
【発明の詳細な説明】
【技術分野】
【０００１】
本発明は、遊技球を転動させる遊技領域に中央役物が配置された遊技機、いわゆるパチンコ遊技機に関する。
【背景技術】
【０００２】
パチンコ遊技機には、遊技球を転動させる遊技領域の中央に、例えば、遊技状態に応じて演出画像を表示する液晶表示板が配置されたものが知られている。この種のパチンコ遊技機では、液晶表示板による演出画像に加えて、遊技状態の演出効果を更に高めることが求められている。
【０００３】
本発明に関連する遊技機としては、遊技状態の演出効果を高めるために、遊技領域の中央に配置された液晶表示板の右側に、複数の小片を花吹雪状に舞い上がらせる役物演出装置が配置された構成が開示されている（例えば、特許文献１参照）。役物演出装置は、複数の小片が収容された役物演出空間と、この役物演出空間内で小片を舞い上げるための電動ファンとを有している。
【０００４】
また、本発明に関連する他の遊技機としては、遊技領域を構成する透明な遊技盤と液晶表示装置との間に形成された演出空間内に、複数の浮遊体を導入し、演出空間内で浮遊体を舞い上がらせ、その後、演出空間内から浮遊体を導出する構成が開示されている（例えば、特許文献２参照）。
【特許文献１】特開２００７−２６８１２９号公報
【特許文献２】特開２００８−１１９３８３号公報
【発明の開示】
【発明が解決しようとする課題】
【０００５】
上述した、特許文献１，２の遊技機における演出効果は、遊技領域において複数の浮遊体が単に舞い上げられるだけであり、演出効果を更に高めることが要望されている。
【０００６】
そこで、本発明は、上述した課題を鑑み、複数の浮遊体による演出効果を向上することができる遊技機を提供することを目的とする。
【課題を解決するための手段】
【０００７】
上述した目的を達成するため、本発明に係る遊技機は、遊技球を転動させる遊技領域に中央役物が設けられた遊技機において、空気によって浮遊される複数の浮遊体と、複数の浮遊体が収容される空間を構成する空間構成部材と、空間構成部材の内壁に吸着させた複数の浮遊体によって図柄を形作るための開口部を有する図柄形成部材と、空間内に空気を送って空間内で浮遊体を舞い上げらせる第１の送風機と、空間内から空気を図柄形成部材の開口部を通して吸引する第２の送風機と、を有する図柄表示装置を備える。
【０００８】
なお、本発明における図柄形成部材は、図案の柄、図形、模様の表示に限定されるものではなく、文字、記号等の表示を含んでいる。また、本発明における中央役物とは、遊技流域の中央に配置される構成部材であり、各種演出画像を表示する演出画像表示装置や、開閉動作する羽根部材を有する開閉機構いわゆる羽根物を含めて指している。
【発明の効果】
【０００９】
本発明によれば、空間内で複数の浮遊体が舞い上げられた後に、複数の浮遊体を集合させて図柄を表示させることが可能になり、複数の浮遊体による演出効果を向上することができる。
【発明を実施するための最良の形態】
【００１０】
以下、本発明の具体的な実施形態について、図面を参照して説明する。
【００１１】
図１に示すように、実施形態の遊技機１は、遊技球を転動させる遊技領域５に中央役物としての液晶表示装置６が設けられており、この液晶表示装置６によって、遊技状態に応じた演出画像が表示される。そして、この遊技機１は、遊技状態の演出効果を高めるための図柄表示装置７を備えている。
【００１２】
図２及び図３に示すように、図柄表示装置７は、空気によって浮遊される複数の浮遊体１１と、複数の浮遊体１１が収容される空間１３を構成する空間構成部材１２と、空間構成部材１２の内壁である側面に吸着させた複数の浮遊体１１によって図柄を形作るための開口部１４ａを有する図柄形成部材１４と、を有している。また、この図柄表示装置７は、空間１３内に空気を送って空間１３内で浮遊体１１を舞い上げらせる第１の送風機１６と、空間１３内から空気を図柄形成部材１４の開口部１４ａを通して吸引する第２の送風機１７と、を有している。この図柄表示装置７は、制御回路部（不図示）によって、液晶表示装置６に表示される演出画像に連動して作動されて、所望の文字等の図柄を表示するように構成されている。
【００１３】
浮遊体１１は、例えば樹脂材によって小片状に形成されて湾曲されており、円滑に舞い上げられるように形成されている。浮遊体１１としては、例えば花びらや粒状の形状が挙げられるが、空気の流れによる動きや、空間構成部材１２の内壁への吸着性、内壁からの剥離性等を考慮して、材料、外形、大きさ、厚み、重さ等が適宜設定され、必要に応じて各種の表面処理が施されている。
【００１４】
空間構成部材１２は、空間１３を構成する四角形の箱状に形成されており、底面１２ａ及び側面１２ｂに複数の通気孔１８が形成されている。また、空間構成部材１２の正面には、光透過性を有する正面板１９が設けられており、空間１３内が目視可能にされている。
なお、空間構成部材１２の底面１２ａ及び側面１２ｂは、充分な通気性を有する網状部材によって形成されてもよい。
【００１５】
図柄形成部材１４は、空間構成部材１２の側面に隣接して、空間構成部材１２の側面１２ｂと第２の送風機１７との間に配置されている。図柄形成部材１４には、平板状に形成されており、集合させて吸着された複数の浮遊体１１によって所望の図柄を形作るための複数の開口部１４ａがそれぞれ形成されている。図３に示す図柄形成部材１４には、２つの数字を表示するための２つの開口部１４ａが並んで形成されている。図柄形成部材１４の各開口部１４ａを通して、第２の送風機１７によって空間１３内の空気が吸引されて排気されることで、空間１３内の側面１２ｂにおける各開口部１４ａに対応する位置に、複数の浮遊体１１が集合されて吸着される。
【００１６】
空間構成部材１２の空間１３の底面１２ａに対向する位置には、ファンを有する第１の送風機１６が２つ並んで配置されている。また、空間構成部材１２の空間１３の側面１２ｂに対向する位置には、２つの第１の送風機１６に対応して、ファンを有する第２の送風機１７が２つ並んで配置されている。これら２つの第２の送風機１７は、図柄形成部材１４に形成された２つの開口部１４ａに対向する位置にそれぞれ配置されている。
【００１７】
すなわち、図柄形成部材１４の１つの開口部１４ａに対応して、一対の第１及び第２の送風機１６，１７がそれぞれ設けられている。この構成によって、空間１３内の側面１２ｂにおける各開口部１４ａに対応するそれぞれの位置に、複数の浮遊体１１を円滑に集合させて良好に吸着させることができる。そして、これら第１及び第２の送風機１６，１７は、制御回路によって液晶表示装置６に連動されて、液晶表示装置６に表示される演出画像に応じて作動される。
【００１８】
図柄形成部材１４は、例えば文字等が異なる他の図柄形成部材と交換可能に構成されてもよく、図柄表示装置が、例えば、空間構成部材１２の側面１２ｂに対して複数の図柄形成部材１４をスライド移動させるスライド機構（不図示）を備えて構成されてもよい。この構成の場合には、スライド機構によって複数の図柄形成部材１４が、液晶表示装置６に表示される演出画像に連動して、選択的に切り替えられるように制御されてもよく、複数の図柄を選択的に表示することができる。
【００１９】
なお、本実施形態では、空間構成部材１２が四角形の箱状に形成されたが、例えば遊技領域５の外周部に沿って環状に形成される等の他の形状に形成されてもよい。
【００２０】
また、空間構成部材１２の空間１３は、例えば１つずつの図柄毎に複数の個別空間に区切られて、個別空間に例えば色、形状、大きさ等が異なる複数種の浮遊体がそれぞれ収容される構成が採られてもよい。この構成によれば、各個別空間内で異なる浮遊体が異なる動きを独立して行うことが可能になり、多様な演出を行うことができる。
【００２１】
また、空間構成部材１２の側面１２ｂには、浮遊体１１が吸着される位置に凹部等の各種の演出形状部（不図示）が形成されてもよく、表示される図柄の演出効果を高めることが可能になる。
【００２２】
また、空間構成部材１２には、側面１２ｂに吸着された浮遊体１１を照明する照明部（不図示）が配置されて、浮遊体１１が光透過性を有する材料によって形成されたり、浮遊体１１に反射面が形成されたりしてもよく、複数の浮遊体１１による演出効果を高めることができる。
【００２３】
以上のように構成された遊技機１が備える図柄表示装置７について、複数の浮遊体１１によって図柄を表示する動作を、図面を参照して説明する。
【００２４】
まず、図柄表示装置７は、図４に示すように、初期状態において、第１及び第２の送風機１６，１７が回転駆動されておらず、複数の浮遊体１１が空間構成部材１２の底面１２ａ上に位置されている。
【００２５】
次に、図５に示すように、図柄表示装置７は、第１の送風機１６を回転駆動させて空間構成部材１２の空間１３内に空気を送り、底面１２ａに垂直な矢印ａ方向に吹き上げられる空気によって、空間１３内で複数の浮遊体１１を底面から舞い上がらせる。
【００２６】
続いて、図６に示すように、図柄表示装置７は、第１の送風機１６によって空間１３内に空気を送っている状態で、第２の送風機１７を回転駆動させて空間１３内から空気を矢印ｂ方向に吸引する。第２の送風機１７によって空間１３内の空気が、図柄形成部材１４の各開口部１４ａを通してｂ方向に吸引されることで、図７に示すように、空間１３内で舞い上げられた複数の浮遊体１１は、各開口部１４ａに対応する領域に位置する、空間構成部材１２の側面１２ｂの通気孔１８から排出される空気によって、側面１２ｂに吸着される。
【００２７】
したがって、空間構成部材１２の側面１２ｂには、複数の浮遊体１１が各開口部１４ａに対応する図柄を形作るように集合されて、複数の浮遊体１１によって所望の図柄が表示される。また、第１の送風機１６は、浮遊体１１が側面１２ｂに吸着された状態を妨げないように、複数の浮遊体１１によって図柄が形作られたときに、回転駆動が停止される。
【００２８】
そして、第２の送風機１７によって空間１３内の空気を吸引し続けることで、複数の浮遊体１１によって図柄が表示された状態が保たれる。その後、第２の送風機１７の回転駆動が停止されることで、側面１２ｂに吸着された複数の浮遊体１１は、側面１２ｂから剥がれ、自重で落下して、底面１２ａの上に戻る。これによって、図柄表示装置７は、浮遊体１１による図柄の表示が終了する。
【００２９】
なお、浮遊体１１による図柄の表示を終了する場合、第２の送風機１７は、空間１３内に空気を送るように逆転駆動されてもよく、空間構成部材１２の側面１２ｂに吸着された浮遊体１１を円滑に引き離すことが可能になる。また、この場合には、第１の送風機１６を逆転駆動させて空間１３から空気を吸引させることで、側面１２ｂに吸着された浮遊体１１を側面１２ｂから更に円滑に引き離して、底面１２ａに強制的に吸着させるように構成されてもよい。このような構成によれば、浮遊体１１による図柄の表示を終了した後に、浮遊体１１を確実に初期状態に復帰させることが可能になり、浮遊体１１の動作信頼性を向上することができる。
【００３０】
上述したように、実施形態の遊技機１は、複数の浮遊体１１によって形作られた文字等の図柄を表示する図柄表示装置７を備えることによって、複数の浮遊体１１による演出効果を向上することができる。すなわち、図柄表示装置７は、浮遊体１１の立体的な実際の動きに伴って複数の浮遊体１１を集合させて、浮遊体１１によって形作られた図柄が表示されるので、液晶表示装置６に表示される演出画像では得られない演出効果を実現することができる。
【００３１】
なお、上述した実施形態における図柄表示装置７は、空間構成部材１２の側面１２ｂに、浮遊体１１を空気の流れによって吸着させて図柄を表示する構成が採られたが、例えば液体中の浮遊体を液体の流れによって吸着させて図柄を表示するように構成されてもよい。
【００３２】
また、本発明に係る遊技機は、パチンコ遊技機に用いられたが、各種の業務用ゲーム機やいわゆるスロットマシン等の他の遊技機に適用されて好適である。
【図面の簡単な説明】
【００３３】
【図１】本実施形態の遊技機を模式的に示す正面図である。
【図２】前記遊技機が備える図柄表示装置を示す斜視図である。
【図３】前記図柄表示装置を示す分解斜視図である。
【図４】前記図柄表示装置において第１及び第２の送風機が停止されている状態を示す正面図である。
【図５】前記図柄表示装置において第１の送風機が駆動されている状態を示す正面図である。
【図６】前記図柄表示装置において第１及び第２の送風機が駆動されている状態を示す断面図である。
【図７】前記図柄表示装置において第２の送風機が駆動されている状態を示す正面図である。
【符号の説明】
【００３４】
１  遊技機
５  遊技領域
６  液晶表示装置（中央役物）
７  図柄表示装置
１１  浮遊体
１２  空間構成部材
１２ｂ  側面（内壁）
１３  空間
１４  図柄形成部材
１４ａ  開口部
１６  第１の送風機
１７  第２の送風機
【図１】
2010075624.tif 000003
【図２】
2010075624.tif 000004
【図３】
2010075624.tif 000005
【図４】
2010075624.tif 000006
【図５】
2010075624.tif 000007
【図６】
2010075624.tif 000008
【図７】
2010075624.tif 000009